(57)【要約】      （修正有）【課題】絶縁本体と導電ケースの間を正確に定位置に固定させ、生産コストを低減させ、さらに同軸コネクターと同軸ケーブル間の接続を信頼できるものにすること。【解決手段】同軸ケーブルに接続される同軸コネクターは、導電端子１、絶縁本体２及び導電ケース３を含む。導電端子１に接触部１３があり、絶縁本体２に、本体部２０と延伸部２１があり、本体部２０に貫通孔２０１が設けられ、延伸部２１に少なくとも一つの翼部２１３があり、導電端子１の接触部１３が貫通孔２０１内に収納される。導電ケース３に筒状部３０と支持部３１があり、支持部に少なくとも一つの切欠３１３があり、本体部２０が筒状部３０内に収納され、延伸部２１が支持部３１内に収納され、少なくとも一つの翼部２１３が少なくとも一つの切欠に位置決めされる。これにより絶縁本体２と導電ケース３の間の位置が決められ、絶縁本体２と導電ケース３の組立てが容易になる。【選択図】図１
0003119199.tif 000002
【実用新案登録請求の範囲】
【請求項１】
同軸コネクターであって、同軸ケーブルに接続され、上記同軸ケーブルに中心導体があり、上記同軸コネクターは、
上記同軸ケーブルの中心導体に接続され、上記導電端子に接触部がある導電端子と、
本体部と延伸部があり、上記本体部に軸向きの貫通孔があり、上記延伸部が上記本体部の後側から下側へ延伸され、上記延伸部には少なくとも一つの翼部があり、上記導電端子の接触部が上記本体部の貫通孔内に収納される絶縁本体と、
筒状部と支持部があり、上記支持部は筒状部の後側から下側向きへ延伸され、上記支持部に少なくとも一つの切欠があり、上記本体部が上記筒状部内に収納され、上記延伸部が支持部内に収納され、上記少なくとも一つの翼部は上記少なくとも一つの切欠内に位置決めがされている導電ケースと、を含むことを特徴とする同軸コネクター。
【請求項２】
導電端子に接続部、ストッパー部及び押圧部があり、上記導電端子の接触部に弾性アームを２個含み、上記２つの弾性アームが上記接続部から下向きへ延伸され、且つ、対向して内側に傾斜し、上記ストッパー部は上記接続部の前端から上向きに突出し、上記押圧部が上記接続部の後端から上、後ろへ延伸されると共に傾斜部と水平部が順に形成され、上記押圧部は上記ストッパー部に対応する位置決め用の溝が設けられることを特徴とする請求項1に記載する同軸コネクター。
【請求項３】
上記絶縁本体の延伸部に対応する延伸側壁が２個あり、上記延伸部の少なくとも一つの翼部は２つの翼部を含み、上記２つの翼部のそれぞれは上記２つの延伸側壁から外向きに突起され、上記導電ケースの支持部に対向する外壁が２個あり、上記支持部の少なくとも一つの切欠に切欠が２個あり、上記２つの切欠のそれぞれは上記２つの外壁の上端に設けられることを特徴とする請求項1に記載する同軸コネクター。
【請求項４】
上記絶縁本体の延伸部にベース部があり、上記２つの延伸側壁のそれぞれに上記ベース部の２つの対向する側壁から上向きへ延伸され、上記同軸ケーブルに内部絶縁層があり、上記内部絶縁層が上記ベース部に設置されることを特徴とする請求項３に記載する同軸コネクター。
【請求項５】
上記導電ケースの支持部に後壁があり、上記後壁が上記２つの外壁の後端に接続され、上記後壁の上端に開口部があることを特徴とする請求項３に記載する同軸コネクター。
【請求項６】
上記絶縁本体の本体部に対向する本体側壁が２個あり、上記２つの本体側壁は本体部の上端の２つが対向する側端に位置し、上記延伸部の２つの延伸側壁それぞれは上記２つの本体側壁の後側に接続されることを特徴とする請求項３に記載する同軸コネクター。
【請求項７】
上記絶縁本体の本体部にある２つの本体側壁の外側上端それぞれに係止溝が設けられ、上記導電ケースにある筒状部に、２つの対向する係止板があり、係止板のそれぞれが係止溝に係止されることを特徴とする請求項６に記載する同軸コネクター。
【請求項８】
上記絶縁本体の本体部に突起部があり、上記突起部は上記本体部の上部の前側端に位置され、上記導電ケースの筒状部は少なくとも一つの内部凸点があり、上記少なくとも一つの内部凸点は上記突起部の下部に係止されることを特徴とする請求項７に記載する同軸コネクター。
【請求項９】
上記絶縁本体の本体部に上部蓋があり、上記上部蓋は上記本体部の前側から上向きに延伸され、上記上部蓋は屈曲して上記導電端子を覆うことを特徴とする請求項１に記載する同軸コネクター。
【請求項１０】
上記導電ケースに外蓋部があり、上記外蓋部が上記筒状部の前側から上向き延伸され、上記外蓋部は屈曲して上記絶縁本体を覆い、上記外蓋部が屈曲部、押圧部及び被覆部を有し、上記屈曲部が上記筒状部の前側に接続され、上記押圧部が上記屈曲部に接続され、上記被覆部が上記屈曲部側端に接続され、上記押圧部が上記絶縁本体上に被覆され、上記被覆部が上記導電ケースの支持部に被覆されることを特徴とする請求項９に記載する同軸コネクター。
【請求項１１】
上記導電ケースの圧板部に内凸部が設置され、上記内凹部が上記絶縁本体の上蓋部に圧接されることを特徴とする請求項１０に記載する同軸コネクター。
【請求項１２】
上記導電ケースの筒状部に爪部が複数あり、上記導電ケースの被覆部に当接部が設けられ、上記当接部が上記複数爪部に隣接されることを特徴とする請求項１０に記載する同軸コネクター。
【考案の詳細な説明】
【技術分野】
【０００１】
本考案は同軸コネクターに関し、特にＬ型の同軸コネクターに関する。
【背景技術】
【０００２】
通信需要増加と産業技術の向上は通信製品の使用を普及させた。同軸コネクターは欠くことのできない通信製品の部品の１つであり、同軸ケーブルに接続され、高周波信号を伝送する。同軸コネクターの体積は極めて小さいので、人力で組み立てることは容易くない。従って同軸コネクターは機械によって組み立てられなければならない。
【０００３】
従来の同軸コネクター、例えば２００１年２月１６日に公開された特許文献１で掲示されている「Ｌ型同軸コネクタ及びそのための端子」は、外部導体と、絶縁体と、端子を含む上記の同軸コネクターである。上記外部導体は筒状部と、外蓋部と、包囲部を有する。上記絶縁体は本体部と肩部を有する。上記同軸コネクターを組み立てる際、まず同軸ケーブルの中心導体が上記端子に接触接続され、続いて、上記端子は上記絶縁体内の本体部に位置され、その後、上記絶縁体は上記外部導体内に設置され、そのうち上記本体部と上記肩部は上記筒状部と上記包囲部に収納され、最後に、屈曲された上記外蓋部は上記絶縁体を覆い、上記同軸ケーブルを固定する。
【０００４】
前記従来の同軸コネクターは、上記絶縁体と上記外部導電体の間に対応する位置決め構造がない。従って、上記絶縁体は精度が極めて高い機械により上記外部導体内に正確に位置されるので、生産コストが大幅に引き上げられることとなる。もし精度が比較的低い機械により上位絶縁体と外部導体を組み立てるならば、上記絶縁体は容易にその位置が偏ったり回転するなどの要因のため上記外部導体内に位置させられない。
【０００５】
従って、上記のことから分かるように、従来の同軸コネクターは実用上、明らかに不都合と欠点があり、改善されなければならない。
【０００６】
そこで、本考案者は前記欠点を鑑みて、それを改善するために、学理の応用の研究に専念し、ついに前記欠点を合理的且つ効果的に改善することができる本考案を提案することとなった。
【特許文献１】特開２００１−４３９３９号公報
【考案の開示】
【考案が解決しようとする課題】
【０００７】
本考案の主な目的は、絶縁本体と導電ケースの間を正確に定位置に固定させ、上記絶縁本体と上記導電ケースの間の組立てに有利となるように、従って生産コストを低減させ、さらに同軸コネクターと同軸ケーブル間の接続を信頼できるものにさせることができる同軸コネクターを提供することである。
【課題を解決するための手段】
【０００８】
前記目的を達成させるために、本考案は主に同軸ケーブルに接続され、上記同軸ケーブルに中心導体があり、上記同軸コネクターは、導電端子と、絶縁本体と、導電ケースを含み、上記導電端子は上記同軸ケーブルの中心導体に接続され、上記導電端子に接触部があり、上記絶縁本体に本体部と延伸部があり、上記本体部に軸向きの貫通孔があり、上記延伸部が上記本体部の後側から下側へ延伸され、上記延伸部には少なくとも一つの翼部があり、上記導電端子の接触部が上記本体部の貫通孔内に収納され、上記導電ケースに筒状部と支持部があり、上記支持部は筒状部の後側から下側向きへ延伸され、上記支持部に少なくとも一つの切欠があり、上記本体部が上記筒状部内に収納され、上記延伸部が支持部内に収納され、上記少なくとも一つの翼部は上記少なくとも一つの切欠内に位置決めがされていることを含むことを特徴とする同軸コネクターを提供することである。
【考案の効果】
【０００９】
上記絶縁本体の延伸部の少なくとも一つの翼部が上記導電ケースの支持部の少なくとも一つの切欠内に位置決めがされることにより、上記絶縁本体と導電ケース間の位置決めを正確にさせ、上記絶縁本体と上記導電ケース間の組立てを有利にさせ、従って生産コストを低減させ、さらに本考案の同軸コネクターと同軸ケーブル間の接続を確かなものにさせることができる。
【考案を実施するための最良の形態】
【００１０】
本考案が目的を達成させるために用いた技術手段と効果をさらに詳しく述べるために、本考案の詳細な説明と図面を参照することで、本考案の目的、特徴を信用し、これにより深く掘り下げた且つ具体的な理解が得られる。しかしながら、図面は参考と説明用に提供するだけのもので、本考案を制限するものではない。
【００１１】
図１乃至図７に示すように、本考案の実施の形態による同軸コネクターは同軸ケーブル４に接続するものであり、上記同軸コネクターは導電端子１と、絶縁本体２と、導電ケース３を含み、そのうち導電端子１は金属板により形成されている。上記導電端子１は接続部１０と、ストッパー部１１と、押圧部１２と、接触部１３を有する。上記ストッパー部１１は上記接続部１０の前端から上向きに突出している。上記押圧部１２は上記接続部１０の後端から上、後ろへ延伸されると共に傾斜部１２１と水平部１２２が順に形成される。上記押圧部１２は上記ストッパー部１１に対応する位置決め用の溝１２３が設けられる。上記接触部１３は弾性アームを２個含み、上記２つの弾性アームが上記接続部１０から下向きへ延伸され、且つ、対向して内側に傾斜している。上記導電端子１はまた他の形式でもよく、前記に限られることはない。
【００１２】
絶縁本体２はプラスチックにより形成される。上記絶縁本体２は本体部２０と、延伸部２１と、上蓋部２２を有する。上記本体部２０に軸向きの貫通孔２０１が設けられ、上記延伸部２１は上記本体部２０の後側から下側へ延伸され、上記上蓋部２２は上記本体部２０の前側から上向き延伸され、且つ後ろ向きに屈曲される。
【００１３】
上記絶縁本体２の本体部２０に対向する２つの本体側壁２０２があり、上記２つの本体側壁２０２は上記本体部２０の上端の２つが対向する側端に位置する。上記２つの本体側壁２０２の外側上端それぞれに係止溝２０３が設けられている。上記本体部２０はほかに突起部２０４があり、突起部２０４は上記本体部２０の上部の前側端に位置されている。
【００１４】
上記絶縁本体２の延伸部２１にベース部２１１と対向する２つの延伸側壁２１２がある。
上記２個の延伸側壁２１２のそれぞれに上記ベース部２１１の２つの対向する側壁から上向きへ延伸され、且つそれぞれが上記２つの本体側壁２０２の後ろ側に接続される。上記延伸部２１には少なくとも一つの翼部２１３がある。本実施例では、上記延伸部２１の少なくとも一つの翼部２１３は２つの翼部２１３を含み、上記２つの翼部２１３のそれぞれは上記２つの延伸側壁２１２から外向きに突起される。
【００１５】
導電ケース３は金属板により形成される。上記導電ケース３に筒状部３０と、支持部３１と、外蓋部３２がある。上記支持部３１は筒状部３０の後側から下側向きへ延伸され、上記外蓋部３２は上記筒状部３０の前側から上向きに延伸され、且つ後ろ向きに屈曲される。
【００１６】
上記導電ケース３の筒状部３０の上部に２つの対向する係止板３０１と少なくとも１つの内部凸点３０２がある。上記導電ケース３の筒状部３０の下部に爪部３０３が複数ある。
【００１７】
上記導電ケース３の支持部３１に後壁３１１と対向する２つの外壁３１２がある。上記支持部３１に少なくとも１つの切欠３１３が設けられる。本実施の形態では、上記支持部３１の少なくとも一つの切欠３１３に切欠が２個あり、上記２つの切欠３１３のそれぞれは上記２つの外壁３１２の上端に設けられる。上記後壁３１１は上記２つの外壁３１２の後端に接続される。上記後壁３１１の上端に開口部３１４が設けられる。
【００１８】
上記導電ケース３の外蓋部３２に屈曲部３２１と、圧板部３２２と、被覆部３２３と、第一支持部３２４と、第二支持部３２５がある。上記屈曲部３２１は上記筒状部３０の上部前側に接続される。上記圧板部３２２は上記屈曲部３２１に接続され、且つ内凸部３２６が設けられる。上記被覆部３２３は上記圧板部３２２の側端に接続される。上記被覆部３２３に溝３２７が設けられ、曲折されやすくなる。上記被覆部３２３にはまた当接辺３２８が設けられる。上記第一支持部３２４は上記圧板部３２２に接続される。上記第二支持部３２５は上記第一支持部３２４に接続される。
【００１９】
図７に示すように、上記同軸ケーブル４に中心導体４０と、内部絶縁層４１と、金属織り層４２と、外絶縁層４３がある。一部の上記外絶縁層４３と、一部の上記金属織り層４２と、一部の上記内部絶縁層４１が剥離されるために、一部の上記金属織り層４２、一部の上記内部絶縁層４１、一部の上記中心導体４０の順に露出させる。
【００２０】
本考案の同軸コネクターは以下のステップにより組立て、完成させる。まず、上記同軸ケーブル４の中心ケーブル４０は上記導電端子１の位置決め溝１２３から上記導電端子１のストッパー部１１まで通して、上記導電端子１の接続部１０ではんだ付けする。このように、上記導電端子1を上記同軸ケーブル４の中心導体４０に接続する。
【００２１】
それから、上記導電端子１は上記絶縁本体２内に設置される。上記導電端子１の接触部１３を上記本体部２０の貫通孔２０１内に収納し、上記同軸ケーブル４の内部絶縁層４１を上記ベース板２１１上に設置する。且つ上記導電端子１の押圧部１２は上記内部絶縁層４１を上記ベース板２１１上に下向きに押す。
【００２２】
続いて、上記絶縁本体２は上記導電ケース３内に設置される。上記本体部２０が上記筒状部３０内に収納され、上記延伸部２１が支持部３１内に収納される。上記少なくとも一つの翼部２１３は上記少なくとも一つの切欠３１３内に位置決めがされており、且つ上記同軸ケーブル４の金属織り層４２は上記支持部３１３の開口部３１４内に設置される。上記少なくとも１つの翼部２１３と上記少なくとも一つの切欠３１間の接続と位置決めが容易で確かなことから、上記絶縁本体２の位置は前後に偏ったり、左右に偏ったり、回転することがなくなる。従って、精度が極めて高い機械を用いる必要はなく、上記絶縁本体２を順調に上記導電ケース３内に設置させることができる。このほか、それぞれの係止板３０１はそれぞれの係止溝２０３内に係止され、且つ上記少なくとも１つの内部凸点３０２は上記突起部２０４の下方に係止され、上記絶縁本体２と上記導電ケース３間との結合を安定させることができる。
【００２３】
次に、上記導電ケース３の外蓋部３２は後ろに屈曲される。上記外蓋部３２を屈曲させ上記絶縁本体２上を覆うことができ、且つ上記上蓋部２２を屈曲させ上記導電端子１上を覆うことができる。上記圧板部３２２は上記絶縁本体２上を覆い、上記圧板部３２２の内凸部３２６は上記絶縁本体２の上蓋部２２を下向きに押すことで、上記上蓋部２２を安定した状態で上記導電端子１に当接させることができる。従って、本考案の同軸コネクターと上記同軸ケーブル４間の接続をさらに確かなものにできる。
【００２４】
最後に、上記導電ケース３の被覆部３２３と、第一支持部３２４と、第二支持部３２５は屈曲され、上記被覆部３２３は上記導電ケース３の支持部３１を覆い、第一支持部３２４と、第二支持部３２５はそれぞれ上記同軸ケーブル４の金属織り層４２と外絶縁層４３を挟む。上記被覆部３２３の当接部３２８は上記爪部３０３の隣に設置される。
【００２５】
本考案の同軸コネクターが一組のコネクターに挿し込まれる際、或いはコネクターから引き抜く際、上記延伸部２１の少なくとも一つの翼部２１３は上記支持部３１の上記少なくとも一つの切欠３１３内に位置決めされていることにより、上記絶縁本体２と上記導電ケース３間のシフトを起こりにくくすることができる。また、上記導電ケース３の圧板部３２２の内凸部３２６は上記絶縁本体２の上蓋部２２を下向きに押すことで、上記導電端子１の位置決めをさらに確かなものにすることができる。さらに、上記導電ケース３の被覆部３２３の当接部３２８を上記爪部３０３の隣に設置することにより、上記爪部３０３が外に曲がりすぎないようにすることができる。
【００２６】
従って、本考案の同軸コネクターは以下の特徴を有する。
１．上記絶縁本体の延伸部の少なくとも１つの翼部が上記導電ケースの支持部の少なくとも１つの切欠内に位置決めされることで、上記絶縁本体と上記導電ケース間の位置決めを確かなものにし、上記絶縁本体と上記導電ケース間の組立てを有利にさせることができ、従って生産コストが低減する。
２．上記少なくとも１つの翼部が上記少なくとも１つの切欠内に位置決めされることで、上記絶縁本体と上記導電ケース間のシフトを起こりにくくさせることができる。また、上記導電ケースの圧板部の内凹部は上記絶縁本体の上蓋部を下向きに押すことで、上記導電端子の位置決めをさらに安定させることができる。従って、本考案の同軸コネクターと上記同軸ケーブル間の接続をさらに確かなものにできる。
【００２７】
前記記載は単に本考案の最良の実施例にすぎず、本考案を限定するものではない。本考案の請求範囲を逸脱することなく種々の変更を行うことができるということは言うまでもない。したがって、本考案は添付の請求の範囲によってのみ限定されるものである。
【図面の簡単な説明】
【００２８】
【図１】本考案に係る同軸コネクターを示す立体分解図。
【図２】本考案に係る同軸コネクターの別の角度を示す立体分解図。
【図３】本考案に係る同軸コネクターを示す平面分解図。
【図４】本考案に係る同軸コネクターを示す立体組み図。
【図５】本考案に係る同軸コネクターの別の角度を示す立体組み図。
【図６】本考案に係る同軸コネクターを示す平面組み図。
【図７】本考案に係る同軸コネクターを示す断面概略図。
【符号の説明】
【００２９】
1  導電端子
1０  接続部
１２  押圧部
１２２  水平段
１３  接触部
１１  ストッパー部
１２１  傾斜部
１２３  位置決め溝
２  絶縁本体
２０  本体部
２０１  貫通孔
２０２  本体側壁
２０３  係止溝
２０４  突起部
２１  延伸部
２１１  ベース板
２１２  延伸側壁
２１３  翼部
２２  上蓋部
３  導電ケース
３０  筒状部
３０１  係止板
３０２  内部凸点
３０３  爪部
３１  支持部
３１１  後壁
３１２  外壁
３１３  切欠
３１４  開口部
３２  外蓋部
３２１  屈曲部
３２２  圧板部
３２３  被覆部
３２４  第一支持部
３２５  第二支持部
３２６  内凸部
３２７  溝
３２８  当接辺
４  同軸ケーブル
４０  中心導体
４１  内部絶縁層
４２  金属織り層
４３  外絶縁層
【図１】
0003119199.tif 000003
【図２】
0003119199.tif 000004
【図３】
0003119199.tif 000005
【図４】
0003119199.tif 000006
【図５】
0003119199.tif 000007
【図６】
0003119199.tif 000008
【図７】
0003119199.tif 000009